(57)【要約】【課題】年配者であっても容易に病歴や病状等の問診情報を入力することが可能な問診情報入力装置および問診情報入力プログラムの提供。【解決手段】タッチパネル３上に人体図１０を頭部１１、頸部１２、胸部１３、腹部１４およびその他１５の所定の部位ごとに区分して表示し、それぞれの部位がタッチパネル３上で押さえられた際に、この押さえられた部位に関連する病歴や病状等の問診情報の候補をタッチパネル３上に押しボタンとして表示し、この押しボタンの中からタッチパネル３上で押さえられたものを問診情報として入力する制御部を有する。【選択図】図３
2008129654.tif 000002
【特許請求の範囲】
【請求項１】
タッチパネル上に人体図を所定の部位ごとに区分して表示し、それぞれの部位が前記タッチパネル上で押さえられた際に、この押さえられた部位に関連する病歴や病状等の問診情報の候補を前記タッチパネル上に押しボタンとして表示し、この押しボタンの中から前記タッチパネル上で押さえられたものを問診情報として入力する制御部を有する問診情報入力装置。
【請求項２】
前記人体図の区分は、少なくとも頭部、頸部、胸部および腹部に区分されたものである請求項１記載の問診情報入力装置。
【請求項３】
前記押しボタンは、前記タッチパネル上で押さえられた前記人体図の部位に属する器官ごとにグループ化して表示されるものである請求項１または２に記載の問診情報入力装置。
【請求項４】
タッチパネルが接続されるコンピュータを、前記タッチパネル上に人体図を所定の部位ごとに区分して表示し、それぞれの部位が前記タッチパネル上で押さえられた際に、この押さえられた部位に関連する病歴や病状等の問診情報の候補を前記タッチパネル上に押しボタンとして表示し、この押しボタンの中から前記タッチパネル上で押さえられたものを問診情報として入力する手段として機能させるための問診情報入力プログラム。
【請求項５】
タッチパネル上に人体図を所定の部位ごとに区分して表示し、それぞれの部位が前記タッチパネル上で押さえられた際に、この押さえられた部位に関連する病歴や病状等の問診情報の候補を前記タッチパネル上に押しボタンとして表示し、この押しボタンの中から前記タッチパネル上で押さえられたものを問診情報として入力する問診情報入力方法。
【発明の詳細な説明】
【技術分野】
【０００１】
本発明は、医療機関において患者が診察を受ける際に、病歴や病状等の問診情報を入力するための問診情報入力装置、問診情報入力プログラムおよび問診情報入力方法に関する。
【背景技術】
【０００２】
医療機関において患者が診察を受ける際には、通常、受付時に病歴や病状等の問診情報を問診票に記入する。この問診票に記入された内容は、カルテに添付されたり、コンピュータに入力されたりして、診察の際に医師や看護士等によって参照される。特に、近年においては、カルテの電子化に伴い、問診票に記入された内容はコンピュータに入力されることが多く、受付担当者等が問診票を見ながらコンピュータに入力する作業を行っている。
【０００３】
しかしながら、このように受付担当者等が患者によって記入された問診票をコンピュータに入力し直す作業は、非常に手間が掛かるうえ、問診票の記入内容通りに間違いなく入力されているかどうかを確認する作業も必要である。そこで、このような作業を省力化するものとして、例えば特許文献１には、医療機関を受診する患者が、受診前に、画面に表示される質問文に対する回答を入力することにより問診情報を入力すると、問診情報が医療機関のサーバへ送信されるとともに診察室に設置された端末機に送信可能とされる問診票入力システムが開示されている。
【０００４】
また、特許文献２には、設定された問診項目について該当の有無を確認して入力する問診入力部と、問診項目別にその該当の有無について設定されたスコアを人体の器官または部位の領域別に集約するスコアリング演算部と、スコアリング演算部からの集約スコアについて、健康度と医療への依存度を評価して色別する健康度・医療依存度評価演算部と、評価して色別された度合いを人体の器官または部位の領域別に表示する表示出力部とを有する心身健康度評価システムが開示されている。
【０００５】
【特許文献１】特開２００３−３２３４８８号公報
【特許文献２】特開２００６−１１４０２７号公報
【発明の開示】
【発明が解決しようとする課題】
【０００６】
確かに、上記のようなシステムを用いれば、受付担当者等の負担は減り、問診票の入力ミスも防ぐことが可能である。しかしながら、診察を受ける患者には年配者が多いため、画面に表示される質問文の中から該当する回答文を探し出し、該当項目を適切に選択して入力することは難しい。特に、年配者であれば老視の人も多く、画面に表示される文字を隅々まで眺めて該当項目を探し出すことは困難である。
【０００７】
そこで、本発明においては、年配者であっても容易に病歴や病状等の問診情報を入力することが可能な問診情報入力装置、問診情報入力プログラムおよび問診情報入力方法を提供することを目的とする。
【課題を解決するための手段】
【０００８】
本発明の問診情報入力装置は、タッチパネル上に人体図を所定の部位ごとに区分して表示し、それぞれの部位がタッチパネル上で押さえられた際に、この押さえられた部位に関連する病歴や病状等の問診情報の候補をタッチパネル上に押しボタンとして表示し、この押しボタンの中からタッチパネル上で押さえられたものを問診情報として入力する制御部を有するものである。
【０００９】
また、本発明の問診情報入力方法は、タッチパネル上に人体図を所定の部位ごとに区分して表示し、それぞれの部位が前記タッチパネル上で押さえられた際に、この押さえられた部位に関連する病歴や病状等の問診情報の候補を前記タッチパネル上に押しボタンとして表示し、この押しボタンの中から前記タッチパネル上で押さえられたものを問診情報として入力することを特徴とする。
【００１０】
本発明によれば、患者が、タッチパネル上に表示された人体図を見て、病歴や病状等がある部位を押さえると、その部位に関連する病歴や病状等の問診情報の候補のみがタッチパネル上に押しボタンとして表示される。患者は、このタッチパネル上に表示された押しボタンの中から該当するものを押さえると、この押さえられた押しボタンに対応する問診情報が入力される。
【００１１】
ここで、人体図の区分は、少なくとも頭部、頸部、胸部および腹部に区分されたものであることが望ましい。人体図が頭部、頸部、胸部および腹部に区分されていることで、病歴や病状等がある部位を選択する際に該当部位が探しやすく、直感的に該当する部位を選択して押さえることが可能となる。
【００１２】
また、押しボタンは、タッチパネル上で押さえられた人体図の部位に属する器官ごとにグループ化して表示されるものであることが望ましい。これにより、病歴や病状等がある器官ごとに押しボタンがグループ化されて表示されるので、該当する器官のグループのみ見ていけば、各グループの中から該当する押しボタンを容易に探し出すことができる。また、器官ごとに色分け表示を行えば、さらに容易に該当する押しボタンを探し出すことも可能となる。
【００１３】
本発明の問診情報入力プログラムは、タッチパネルが接続されるコンピュータを、タッチパネル上に人体図を所定の部位ごとに区分して表示し、それぞれの部位がタッチパネル上で押さえられた際に、この押さえられた部位に関連する病歴や病状等の問診情報の候補をタッチパネル上に押しボタンとして表示し、この押しボタンの中からタッチパネル上で押さえられたものを問診情報として入力する手段として機能させるためのものである。このプログラムを実行したコンピュータによれば、上記本発明の問診情報入力装置と同様の作用、効果を奏することができる。
【発明の効果】
【００１４】
（１）タッチパネル上に人体図を所定の部位ごとに区分して表示し、それぞれの部位がタッチパネル上で押さえられた際に、この押さえられた部位に関連する病歴や病状等の問診情報の候補をタッチパネル上に押しボタンとして表示し、この押しボタンの中からタッチパネル上で押さえられたものを問診情報として入力する構成により、患者が、タッチパネル上に表示された人体図を見て、病歴や病状等がある部位を押さえると、その部位に関連する病歴や病状等の問診情報の候補のみがタッチパネル上に押しボタンとして表示され、このタッチパネル上に表示された押しボタンの中から該当するものを押さえるだけで、この押さえられた押しボタンに対応する問診情報が入力されるので、年配者であっても容易に病歴や病状等の問診情報を入力することが可能となる。
【００１５】
（２）人体図の区分が、少なくとも頭部、頸部、胸部および腹部に区分されたものであることにより、病歴や病状等がある部位を選択する際に該当部位が探しやすく、直感的に該当する部位を選択して押さえることが可能となり、年配者であってもさらに容易に病歴や病状等の問診情報を入力することが可能となる。
【００１６】
（３）押しボタンが、タッチパネル上で押さえられた人体図の部位に属する器官ごとにグループ化して表示されるものであることにより、病歴や病状等がある器官のグループのみ見ていけば、各グループの中から該当する押しボタンを容易に探し出すことができるので、年配者であってもさらに容易に病歴や病状等の問診情報を入力することが可能となる。
【発明を実施するための最良の形態】
【００１７】
図１は本発明の実施の形態における問診情報入力装置の概略構成図、図２は図１の問診情報入力装置のブロック図である。
【００１８】
図１において、本発明の実施の形態における問診情報入力装置１は、制御部２と、タッチパネル３と、カードリーダ４とから構成される。問診情報入力装置１は、通信ネットワークにより管理サーバ５（図２参照。）に接続されており、管理サーバ５のデータベースへアクセスして情報の取得および記録を行う。制御部２は、本発明の問診情報入力プログラムを実行するコンピュータである。タッチパネル３は、表示装置と入力装置とを組み合わせた装置であり、表示画面上の表示を押さえることで入力することが可能なものである。カードリーダ４は、各患者のＩＤカードを読み取るものである。
【００１９】
図２に示すように、制御部２は、タッチパネル３およびカードリーダ４を制御し、管理サーバ５と通信するものである。制御部２は、タッチパネル３上に様々な情報を表示する。また、タッチパネル３が押さえられた際には、押さえられた領域に応じた情報が制御部２へと入力される。また、制御部２は、カードリーダ４によってＩＤカードから情報を読み取り、この読み取った情報に基づいて管理サーバ５に問い合わせることにより、各患者を識別する。また、制御部２は、この識別した患者について、管理サーバ５に予め登録されている住所、氏名、年齢、電話番号等の個人情報を取得する。
【００２０】
次に、上記構成の問診情報入力装置１の動作について説明する。
まず、患者によってタッチパネル３の初期画面が押さえられる（タッチされる）と、制御部２は、カードリーダ４にＩＤカードを挿入する旨を案内する画面を表示する。患者がＩＤカードをカードリーダ４に挿入すると、制御部２はカードリーダ４によってＩＤカードから情報を読み取り、この読み取った情報に基づいて管理サーバ５に名前等を問い合わせることにより、各患者を識別し、患者の氏名を画面に表示して確認する。
【００２１】
次に、制御部２はタッチパネル３に病歴や病状等を問い合わせる画面を図３に示すように表示する。この画面には、人体図１０が頭部１１、頸部１２、胸部１３、腹部１４およびその他１５の部位に区分して表示されている。患者がこの人体図１０上で病歴や病状等を入力する部位をタッチすると、制御部２は、このタッチされた部位に関連する病歴や病状等の問診情報の候補を、タッチパネル３上に押しボタンとして表示する。また、このとき、各押しボタンは、図３の人体図１０上でタッチされた各部位に属する器官ごとにグループ化して表示される。
【００２２】
図４は、人体図１０上で頭部１１の領域がタッチされた場合の例を示している。図４に示すように、タッチパネル３上には、頭部１１に属する器官としての頭のグループ２０に脳梗塞、脳出血、偏頭痛、メニエール氏病、物忘れ（認知症）、頭部外傷、意識消失発作のそれぞれの押しボタン２１，２２，２３，２４，２５，２６，２７が、目・耳のグループ３０に白内障、緑内障、視覚障害、中耳炎のそれぞれの押しボタン３１，３２，３３，３４が、鼻のグループ４０に嗅覚障害、鼻アレルギー、急性鼻炎、副鼻腔炎のそれぞれの押しボタン４１，４２，４３，４４が、それぞれ表示されている。
【００２３】
また、図５は、人体図１０上で頸部１２の領域がタッチされた場合の例を示している。図５に示すように、タッチパネル３上には、頸部１２のグループ５０に甲状腺、耳下腺、声帯、口咽頭のそれぞれの押しボタン５１，５２，５３，５４が表示されている。
【００２４】
同様に、図６は、人体図１０上で胸部１３の領域がタッチされた場合の例を示している。図６に示すように、タッチパネル３上には、胸部１３に属する器官としての肺のグループ６０に肺癌、肺炎、気管支炎、喘息、結核、気胸、胸膜炎、肺気腫のそれぞれの押しボタン６１，６２，６３，６４，６５，６６，６７，６８が、心臓のグループ７０に心臓病、狭心症、弁膜症、乳癌、乳腺炎、胸部外傷のそれぞれの押しボタン７１，７２，７３，７４，７５，７６が、それぞれ表示されている。
【００２５】
また、図７は、人体図１０上で腹部１４の領域がタッチされた場合の例を示している。図７に示すように、タッチパネル３上には、腹部１４に属する器官としての胃のグループ８０に胃炎、胃潰瘍、胃癌、胃ポリープ、胃下垂のそれぞれの押しボタン８１，８２，８３，８４，８５が、腎臓・肝臓のグループ９０に肝臓疾患、肝炎、膵臓炎、腎臓病、胆嚢炎、胆石症、中耳炎、腎盂炎のそれぞれの押しボタン９１，９２，９３，９４，９５，９６，９７，９８が、腸のグループ１００に十二指腸潰瘍、大腸潰瘍、大腸炎、腸チフスのそれぞれの押しボタン１０１，１０２，１０３，１０４が、それぞれ表示されている。
【００２６】
同様に、図８は、人体図１０上でその他１５の領域がタッチされた場合の例を示している。図８に示すように、タッチパネル３上には、上記頭部１１、頸部１２、胸部１３および腹部１４に属しないその他の器官に関連するグループ１１０としてジフテリア、猩紅熱、マラリア、寄生虫、リウマチ、糖尿病、脚気、神経痛、貧血症のそれぞれの押しボタン１１１，１１２，１１３，１１４，１１５，１１６，１１７，１１８，１１９が表示されている。また、これ以外のものについては別途入力するためのその他（入力）の押しボタン１２０が表示されている。
【００２７】
上記のように、患者が、図３の人体図１０上から該当する部位をタッチすることにより、図４〜図８に示すようにタッチパネル３上にそれぞれグループ分けされて表示される押しボタン２１〜２７，３１〜３４，４１〜４４，５１〜５４，６１〜６８，７１〜７６，８１〜８５，９１〜９８，１０１〜１０４，１１１〜１１９をタッチし、確定ボタン１２１をタッチすると、制御部２は、押しボタン２１〜２７，３１〜３４，４１〜４４，５１〜５４，６１〜６８，７１〜７６，８１〜８５，９１〜９８，１０１〜１０４，１１１〜１１９の中からタッチパネル３上でタッチされたものを問診情報として入力する。なお、各押しボタン２１〜２７，３１〜３４，４１〜４４，５１〜５４，６１〜６８，７１〜７６，８１〜８５，９１〜９８，１０１〜１０４，１１１〜１１９は複数選択して入力することも可能である。
【００２８】
以上のように、本実施形態における問診情報入力装置１によれば、患者は、タッチパネル３上に表示された人体図１０を見て、頭部１１、頸部１２、胸部１３、腹部１４およびその他１５の中から病歴や病状等がある部位をタッチすると、図４〜図８に示すようにその部位に関連する病歴や病状等の問診情報の候補のみがタッチパネル３上に押しボタン２１〜２７，３１〜３４，４１〜４４，５１〜５４，６１〜６８，７１〜７６，８１〜８５，９１〜９８，１０１〜１０４，１１１〜１１９として表示されるので、患者は、このタッチパネル３上に表示された押しボタン２１〜２７，３１〜３４，４１〜４４，５１〜５４，６１〜６８，７１〜７６，８１〜８５，９１〜９８，１０１〜１０４，１１１〜１１９の中から該当するものをタッチするだけで、このタッチされた押しボタンに対応する問診情報が入力される。したがって、本実施形態における問診情報入力装置１によれば、年配者であっても容易に病歴や病状等の問診情報を入力することが可能である。
【００２９】
また、本実施形態における問診情報入力装置１では、人体図１０の区分が、少なくとも頭部１１、頸部１２、胸部１３および腹部１４に区分されたものであることにより、病歴や病状等がある部位を選択する際に該当部位が探しやすく、直感的に該当する部位を選択してタッチすることが可能である。したがって、年配者であってもさらに容易に病歴や病状等の問診情報を入力することが可能である。
【００３０】
また、本実施形態における問診情報入力装置１では、押しボタン２１〜２７，３１〜３４，４１〜４４，５１〜５４，６１〜６８，７１〜７６，８１〜８５，９１〜９８，１０１〜１０４，１１１〜１１９が、タッチパネル３上でタッチされた人体図１０の部位に属する器官ごとにグループ化して表示されるので、病歴や病状等がある器官のグループのみ見ていけば、各グループの中から該当する押しボタンを容易に探し出すことができるので、年配者であってもさらに容易に病歴や病状等の問診情報を入力することが可能である。
【産業上の利用可能性】
【００３１】
本発明の問診情報入力装置、問診情報入力プログラムおよび問診情報入力方法は、医療機関において患者が診察を受ける際に、病歴や病状等の問診情報を入力するための装置、プログラムおよび方法として有用である。
【図面の簡単な説明】
【００３２】
【図１】本発明の実施の形態における問診情報入力装置の概略構成図である。
【図２】図１の問診情報入力装置のブロック図である。
【図３】タッチパネル上への表示例を示す図である。
【図４】タッチパネル上への表示例を示す図である。
【図５】タッチパネル上への表示例を示す図である。
【図６】タッチパネル上への表示例を示す図である。
【図７】タッチパネル上への表示例を示す図である。
【図８】タッチパネル上への表示例を示す図である。
【符号の説明】
【００３３】
１  問診情報入力装置
２  制御部
３  タッチパネル
４  カードリーダ
５  管理サーバ
１０  人体図
１１  頭部
１２  頸部
１３  胸部
１４  腹部
【図１】
2008129654.tif 000003
【図２】
2008129654.tif 000004
【図３】
2008129654.tif 000005
【図４】
2008129654.tif 000006
【図５】
2008129654.tif 000007
【図６】
2008129654.tif 000008
【図７】
2008129654.tif 000009
【図８】
2008129654.tif 000010